(57)【特許請求の範囲】
【請求項１】
容器体１の口頸部外面へ嵌合させた装着筒２後部から主筒２ａを起立し、該主筒前面からシリンダ３を、かつ主筒上端から射出筒４を、それぞれ前方突設し、シリンダ３内へ嵌合させたプランジャ５前端部へトリガー６を連結させ、該トリガーの前後動で容器体内液体をシリンダ３内へ吸込み、かつ該シリンダ内液体を射出筒４前端から噴出可能に設けたトリガー式液体噴出容器において、
上記装着筒２外面へ緊密に嵌着させた有頂のキャップ状部１１後部から、上記主筒２ａ外面を覆う縦筒状カバー１２を起立すると共に、該縦筒状カバー上端から上記射出筒４外面を覆う横筒状カバー１３を前方突設して、該横筒状カバー前端部上面に係合突部１４を形成し、更に上記キャップ状部１１の上面前部に凹部１５を形成したカバー部材１０を設け、
上記トリガー６の上下方向中間部をプランジャ５前端部へ前後左右方向に揺動自在に連結させて、そのトリガー上部の射出筒４前方部分に、横筒状カバー前端部が遊嵌可能な窓部１９を穿設すると共に、該窓部上方のトリガー部分後面から係合片２０を突設して、該係合片を上記係合突部１４へ左右方向に離脱可能に、かつ前後方向に回動可能に係合させ、
上記トリガー６は、係合片２０が係合突部１４へ係合して、窓部１９が射出筒４前方に位置する後方引寄せ可能位置と、該引寄せ可能位置からトリガー連結部を中心に左右一方向へ回動して、係合片２０が凹部１５後面へ係合すると共に、トリガー６下部が上記射出筒４前端面を閉塞する後方引寄せ不能位置とを有する、
ことを特徴とするトリガー式液体噴出容器。
【発明の詳細な説明】
【０００１】
【発明の属する技術分野】
本発明はトリガー式の液体噴出容器に関する。
【０００２】
【従来の技術】
例えば、特開平１０−２４９２５２号が示すように、容器体口頸部へ嵌合させた装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの前後方向揺動で容器体内液体をシリンダ内へ吸込み、かつ該シリンダ内液体を射出筒前端から噴出可能に設けたトリガー式の液体噴出容器が知られている。
【０００３】
【発明が解決しようとする課題】
上記公知例にあっては、不用意にトリガーを引寄せても射出筒前端から液体を噴出するから、このような不用意な液体噴出を防止するための安全装置を設けることが望まれていた。
本発明はトリガー操作を不能とする安全装置を設けることで、上記のような不用意な液体噴出を防止できるよう設けたものである。
【０００４】
【課題を解決するための手段】
第１の手段として、容器体１の口頸部外面へ嵌合させた装着筒２後部から主筒２ａを起立し、該主筒前面からシリンダ３を、かつ主筒上端から射出筒４を、それぞれ前方突設し、シリンダ３内へ嵌合させたプランジャ５前端部へトリガー６を連結させ、該トリガーの前後動で容器体内液体をシリンダ３内へ吸込み、かつ該シリンダ内液体を射出筒４前端から噴出可能に設けたトリガー式液体噴出容器において、
上記装着筒２外面へ緊密に嵌着させた有頂のキャップ状部１１後部から、上記主筒２ａ外面を覆う縦筒状カバー１２を起立すると共に、該縦筒状カバー上端から上記射出筒４外面を覆う横筒状カバー１３を前方突設して、該横筒状カバー前端部上面に係合突部１４を形成し、更に上記キャップ状部１１の上面前部に凹部１５を形成したカバー部材１０を設け、
上記トリガー６の上下方向中間部をプランジャ５前端部へ前後左右方向に揺動自在に連結させて、そのトリガー上部の射出筒４前方部分に、横筒状カバー前端部が遊嵌可能な窓部１９を穿設すると共に、該窓部上方のトリガー部分後面から係合片２０を突設して、該係合片を上記係合突部１４へ左右方向に離脱可能に、かつ前後方向に回動可能に係合させ、
上記トリガー６は、係合片２０が係合突部１４へ係合して、窓部１９が射出筒４前方に位置する後方引寄せ可能位置と、該引寄せ可能位置からトリガー連結部を中心に左右一方向へ回動して、係合片２０が凹部１５後面へ係合すると共に、トリガー６下部が上記射出筒４前端面を閉塞する後方引寄せ不能位置とを有する。
【０００５】
【発明の実施の形態】
以下、本発明に係るトリガー式液体噴出容器の実施形態を図面を参照しながら説明する。
まず、トリガー式液体噴出容器の公知の部分について簡単に説明すると、容器体１の口頸部外面へ嵌合させた装着筒２後部から主筒２ａを起立し、該主筒前面からシリンダ３を、かつ主筒２ａ上端からノズル付き射出筒４を、それぞれ前方突設し、シリンダ３内へ嵌合させたプランジャ５前端部をトリガー６へ連結させている。プランジャ５はシリンダ３内に設けたバネで前方付勢され、従って、プランジャ５に連結されたトリガー６も前方付勢状態にある。トリガー６を前後動させると、容器体内液体がシリンダ３内へ吸い込まれ、かつこのシリンダ内液体が射出筒４前端のノズルから噴出される。
【０００６】
本発明では、カバー部材１０を有し、該カバー部材は、装着筒２外面へ緊密に嵌着させた有頂のキャップ状部１１後部から、上記主筒２ａ外面を覆う有頂縦筒状カバー１２を起立すると共に、該縦筒状カバー上端から射出筒４外面を覆う横筒状カバー１３を前方突設する。そして、該横筒状カバー前端部上面に左右方向への係合突条１４を形成すると共に、キャップ状部１１の上面前部に前面及び左右両面開放の凹部１５を形成する。
なお、組付容易性を考慮し、キャップ状部１１の後部、縦筒状カバー１２の後面及び下部前面、横筒状カバー１３の前面及び下面のそれぞれを開口しておくことが好ましい。
【０００７】
一方、プランジャ５前端部に、板状トリガー６の中央部を自在継手を介して前後左右方向に揺動自在に連結させる。自在継手としては、特に限定はないが、例えば、図示するようにプランジャ５の前端部に回動軸を介して取り付けた二又状の軸受部１７を、ボルト形状の連結具１８を介してトリガー６の中央部へ軸着させて形成したものや、玉継手等を採用する。
【０００８】
トリガー６上部の射出筒４前方部分に、射出筒前端部が遊嵌可能な窓部１９を穿設すると共に、該窓部上方のトリガー６部分後面からＬ字状の係合片２０を突設して、該係合片を係合突条１４へ左右方向に離脱可能に、かつ前後方向に回動可能に係合させる。
また、トリガー６下部前面に多数の左右方向に延びる突条を形成して把持部２１に形成する。
【０００９】
次に本実施形態の作用について説明する。
図１はトリガー６の後方引寄せが可能な状態を示す。射出筒４から液体を噴出させるには、把持部２１に手を当ててトリガー６を後方へ引き寄せればよく、すると図３に鎖線で示すように、トリガー６は係合突条１４を中心に後方へ揺動して、横筒状カバー１３前端が窓部１９内に入る。
トリガー６を離すと、シリンダ３内のバネの付勢力でプランジャ５が前進して、容器体内液体がシリンダ３内へ吸い込まれる。
【００１０】
トリガー６の後方引寄せを不能にするためには、連結具１８を中心にトリガー６を左右どちらかの方向へ回動させればよく、すると図４に示すように係合片２０が係合突条１４から左右方向へ離脱して、凹部１５後面へ係合すると共に、トリガ−６下部後面が横筒状カバー１３前面を閉塞する。このようにトリガー６を図１の状態から約１８０°回動させると係合片２０が凹部１５へ係合するため、トリガー６の後方引寄せが不能になる。
【００１１】
【発明の効果】
本発明に係るトリガー式液体噴出容器は、トリガーをプランジャへ連結させて凹部へ係合可能に形成したので、トリガーを凹部へ係合させることでトリガーの後方引寄せを不能にすることができ、このため悪戯等の不用意な液体噴出を防止することができる。
【図面の簡単な説明】
【図１】本発明に係るトリガー式液体噴出容器の斜視図。
【図２】同じく、トリガーとプランジャとの連結状態を示す斜視図。
【図３】同じく、作用説明図。
【図４】同じく、トリガーの後方引寄せ不能位置を示す斜視図。
【符号の説明】
１  容器体
２  装着筒
２  主筒２ａ
３  シリンダ
４  射出筒
５  プランジャ
６  トリガー
１０  カバー部材
１１  キャップ状部材
１２  縦筒状カバー
１３  横筒状カバー
１５  凹部
１９  窓部
２０  係合片
【図１】
0003751461.tif 000002
【図２】
0003751461.tif 000003
【図３】
0003751461.tif 000004
【図４】
0003751461.tif 000005